(57)【要約】【課題】安全性を向上し、迅速に設置と取り外しが可能な街路灯バナー固定座体の提供。【解決手段】平面状を呈する主板と、屋根部と、積載部と、弾性開閉片を含み、そのうち、前記屋根部は前記主板の一端が折り曲げられて形成され、且つ中央に第一位置決め孔が開設され、前記積載部は前記主板の他端が折り曲げられて成型され、且つ第二位置決め孔が開設されると共に、前記主板との間に収容槽を形成し、前記屋根部との間に入口を形成し、且つ両側が開放状を呈し、前記弾性開閉片は一端が前記屋根部に取り付けられ、他端が吊置状を呈し、且つ前記入口を塞いで前記街路灯バナーの脱落を防止することを特徴とする。【選択図】図２
0003133197.tif 000002
【実用新案登録請求の範囲】
【請求項１】
街路灯や柱体上に取り付けられ、上下に横棒を備えた街路灯バナーを掛けるための街路灯バナー固定座体であって、平面状を呈する主板と、屋根部と、積載部と、弾性開閉片を含み、そのうち、前記屋根部は前記主板の一端が折り曲げられて形成され、且つ中央に第一位置決め孔が開設され、前記積載部は前記主板の他端が折り曲げられて成型され、且つ第二位置決め孔が開設されると共に、前記主板との間に収容槽を形成し、前記屋根部との間に入口を形成し、且つ両側が開放状を呈し、前記弾性開閉片は一端が前記屋根部に取り付けられ、他端が吊置状を呈し、且つ前記入口を塞いで前記街路灯バナーの脱落を防止することを特徴とする、街路灯バナー固定座体。       
【請求項２】
前記主板の側面に固定リングが設置され、前記街路灯バナー固定座体を前記柱体に取り付けるために用いられる、請求項１に記載の街路灯バナー固定座体。
【請求項３】
前記弾性開閉片が、溶接、リベットまたはネジによる固定方式で前記屋根部と相互に固定される、請求項１に記載の街路灯バナー固定座体。        
【請求項４】
前記街路灯バナーの前記横棒の中央位置に固定棒が設けられた、請求項１に記載の街路灯バナー固定座体。
【請求項５】
前記横棒の中央位置にネジが設けられ、ナットを螺合させることができる、請求項１に記載の街路灯バナー固定座体。          
【請求項６】
前記弾性開閉片が弾性部材により前記屋根部内縁に枢着され、且つ、前記積載部の内側まで延伸され、枢設後の前記弾性開閉片が弾性的位置回復機能を備えた、請求項１に記載の街路灯バナー固定座体。
【請求項７】
前記収容槽内に弾性フック片が設置され、前記弾性フック片が弧状を呈し、且つその一端が前記屋根部、前記主板と相互に固定され、他端が前記積載部内側まで延伸されて前記入口を塞ぐ、請求項１に記載の街路灯バナー固定座体。        
【請求項８】
前記弾性開閉片の吊置された一端が前記積載部内側まで延伸される、請求項１に記載の街路灯バナー固定座体。
【請求項９】
前記弾性開閉片の上端部にフック片が枢設され、前記フック片が前記収容槽内に位置する、請求項１に記載の街路灯バナー固定座体。        
【請求項１０】
前記弾性開閉片の一端に位置規制蓋が設けられ、前記位置規制蓋が折り曲げられて重り部が形成され、前記位置規制蓋は一端が前記屋根部に対し回動可能に枢設された状態を呈し、前記位置規制蓋が力を受けていないとき、前記重り部の作用で前記入口を閉じた状態にする、請求項１に記載の街路灯バナー固定座体。
【請求項１１】
前記弾性開閉片が折り曲げられて成型され、成型後一端を固定部、他端を開閉部とした、請求項１に記載の街路灯バナー固定座体。        
【考案の詳細な説明】
【技術分野】
【０００１】
本考案は街路灯や柱体上に設置する街路灯バナーの固定座体に関し、本考案は特に迅速に街路灯バナーの設置と取り外しができる街路灯バナー固定座体に関する。
【背景技術】
【０００２】
バナー上に広告または訴求する情報を印刷し、バナーを各所に掛けることで宣伝効果を得る方式は、現今よく見受けられる広告手法である。例えば、文芸活動や国家レベルの展覧会等、大量の広告を通して宣伝の目的を達しており、大量の平面広告のほか、バナーもよく利用される方式の一つである。バナーを広く散布するため、業者はバナーを保持する固定支持具に改良を加えている。
【０００３】
図１に従来のバナー固定の立体図を示す。この図に示すように、この固定支持具１０は座体１０１と固定具１０２から構成され、座体１０１は折り曲げられて錐状を呈し、固定具１０２はU字型であり、座体１０１の一面に設置され、柱体２０(街路灯や電信柱等)を挟持し且つ柱体２０上に固定される。使用時には、２つの固定支持具１０を柱体２０上に上下に設置して位置決めした後、バナー３０の二端の横棒３０１を座体１０１上に固定する。現行の街路灯バナーの施工法規においては、台風警報が発布されるとバナー設置者は直ちに取り外しを行なわなければならないことが定められているが、現行の街路灯バナーは施工数量が膨大であり、設計者の実際の施工データによると、８時間の作業時間でやっと平均２５０組の街路灯バナーを取り外すことができ、場所の移動のほか各組の取り外しに４０秒から１分間かかり、非常に時間がかかる。また、現行の街路灯バナーの施工時には、下端の横棒３０１の高さが一般に２.５メートルであり、これにバナーの上端の横棒３０１の高さを加えると、施工が４メートルの高さに達し、街路灯の前後に背中合わせに掛けることができるが、実際の施工において前後方向に二回施工する必要があり、施工高さの不便だけでなく、場所移動の方向を変えるのにも時間がかかる。施工環境全体の安全性、利便性及び迅速性を考慮し、改良を行なう必要がある。
【考案の開示】
【考案が解決しようとする課題】
【０００４】
上述の必要性に鑑みて、本考案は考案者の関連事業における長年の経験に基づき研究を重ね、斬新な街路灯バナー固定座体の開発に至ったものである。本考案の主な目的は、安全性を向上し、且つ、迅速に設置と取り外しが可能な街路灯バナー固定座体を提供することにある。      
【課題を解決するための手段】
【０００５】
上述の目的を達するため、本考案の街路灯バナー固定座体は、一般的な現行の街路灯または柱体上に設置し、街路灯バナーを掛けて固定するために用いられ、その内部は開放状を呈し、主板に収容槽が成型され、この収容槽に横棒を配置し、街路灯バナーをその上に掛けることができ、施工上は一本の延長棒を使用するだけで設置と取り外しができ、大幅に施工速度を向上し、同時に人力と作業時間を減少することができる。      
【考案を実施するための最良の形態】
【０００６】
以下、本考案の内容についてより理解を促すため、図面に基づき詳細に説明する。
【実施例１】
【０００７】
図２に本考案の立体外觀図を示す。この図に示すように、街路灯バナー固定座体４０は内部が開放状を呈し、主板４０１、屋根部４０２、積載部４０３、弾性開閉片４０４から構成される。主板４０１は平面状を呈し、この主板４０１の一端を折り曲げて屋根部４０２が形成され、且つ、この屋根部４０２の中央には第一位置決め孔４０２１が開設される。さらに主板４０１の他端を折り曲げて積載部４０３が成型され、この積載部４０３に第二位置決め孔４０３１が開設され、且つ、主板４０１との間に収容槽４０５が形成され、さらに屋根部４０２との間に入口４０６が形成され、両側は開放状を呈する。弾性開閉片４０４は弾性を備え、その一端が屋根部４０２に取り付けられ、取り付け後、この弾性開閉片４０４の一端は吊置された状態を呈し、施力すると押し動かすことができ、その吊置された一端は積載部４０３内側へと延伸され入口４０６を塞ぎ、街路灯バナーが抜け出るのを防止する。また、この弾性開閉片４０４は溶接、リベットまたはネジ固定方式で屋根部４０２に取り付けることができる。
【０００８】
図３に本考案の使用状態の立体斜視図を示す。この図に示すように、街路灯バナー固定座体４０、４０'の背面にはバナーを電信柱上に固定するための固定装置を設置することができ、例えば図に示す実施例においては、固定リング５０、５０'が設けられ、これらにより街路灯バナー固定座体４０、４０'全体を柱体６０に取り付けることができる。上述のように、この街路灯バナー固定座体４０、４０'は固定リング５０、５０'を介して柱体６０の上、下二つの適切な位置に固定され、さらに街路灯バナー７０両端の横棒７０１、７０１'の中央位置に取り付けられた固定棒７０１１、７０１１'により横棒７０１、７０１'が街路灯バナー固定座体４０、４０'内部にそれぞれ配置され、街路灯バナー７０をしっかりと柱体６０上に掛けることができる。街路灯バナー７０を掛ける際には一定の高さがあるため、手持ちタイプの延長棒を使い、街路灯バナー７０の上下横棒を保持し、街路灯バナー７０を街路灯バナー固定座体４０、４０'内に設置してその旗面と車の走行方向を相対させればよく、また街路灯バナー７０を取り外す際は、やはり延長棒を用いて迅速に取り外すことができる。
【０００９】
図４に本考案の使用状態の側面断面図(一)を示す。この図に示すように、街路灯バナー７０を掛ける際は、まず街路灯バナー７０の横棒７０１を街路灯バナー固定座体４０の収容槽４０５内に配置し、横棒７０１の固定棒７０１１を第二位置決め孔４０３１内に穿入させ、さらに街路灯バナー７０の他端の横棒７０１'をもう一組の街路灯バナー固定座体４０'内に配置し、横棒７０１'を第一位置決め孔４０２１'に穿入させる。横棒７０１は収容槽４０５に入れられた後収容槽４０５の底部に位置し、横棒７０１'がもう一つの収容槽４０５'に入れられたとき懸空状態となるため、自然に下垂する作用力で街路灯バナーの布面が引っ張られ、全体の美観性を向上することができる。
【００１０】
図５に本考案の使用状態の側面断面図(二)を示す。ここでは二組の街路灯バナーを同時に一つの街路灯バナー固定座体に設置する場合の実施方式を示す。この図に示すように、まず第一街路灯バナー８０の横棒８０１を街路灯バナー固定座体４０内に配置し、横棒８０１を直接収容槽４０５底部に位置させ、且つ固定棒８０１１を第二位置決め孔に穿入させ、さらに第一街路灯バナー８０のもう一つの横棒８０１'をもう一つの街路灯バナー固定座体４０'内に配置し、横棒８０１'の固定棒８０１１'を第一位置決め孔４０２１'に穿入させ、横棒８０１'を収容槽４０５'内部で懸空状態にさせて第一街路灯バナー８０の設置が完了する。続いて、第二街路灯バナー９０の横棒９０１を街路灯バナー固定座体４０内部に配置し、第二街路灯バナー９０の横棒９０１を第一街路灯バナー８０の横棒８０１上に置き、横棒９０１の固定棒９０１１を第一位置決め孔４０２１内に穿入させ、さらに第二街路灯バナー９０のもう一つの横棒９０１'をもう一つの街路灯バナー固定座体４０'の収容槽４０５'内に配置し、且つ第二街路灯バナー９０の横棒９０１'を第一面街路灯バナー８０の横棒８０１'の上に位置させ、横棒９０１'の固定棒９０１１'を第一固定孔４０２１'内に穿入させると、第二街路灯バナー９０の設置が完了する。第一街路灯バナー８０と第二街路灯バナー９０は前後に（背中合わせで）掛けることができ、先に掛けた第一街路灯バナー８０と二番目に掛けた第二街路灯バナー９０の二つの下端部の横棒８０１'、９０１'間には一定距離の間隔を持たせ、そのうち一組の街路灯バナーの旗面を縮小してコストを減少することができる。また、上述の延長棒を用いて設置と取り外しを行なえば、施工の人力と作業時間を減少でき、迅速な設置と取り外しの効果を達成することができる。
【実施例２】
【００１１】
図６に本考案の実施例２の側面断面図を示す。この図に示すように、街路灯バナー７０を掛ける際は、旗面をより平整にするため、横棒７０１、７０１'の中央位置にネジ７０１２、７０１２'を設け、横棒７０１を街路灯バナー固定座体４０の収容槽４０５底部に配置するとき、横棒７０１のネジ７０１２を第二位置決め孔４０３１に穿設させ、さらに街路灯バナー７０のもう一つの横棒７０１'をもう一組の街路灯バナー固定座体４０'内に配置し、収容槽４０５'内で懸空状態にさせ、且つ横棒７０１'上のネジ７０１２'を第二位置決め孔４０３１'に穿設させ、ナット１００をネジ７０１２'上に固定すると、横棒７０１、７０１'が引っ張られ、街路灯バナー７０を下方向に引っ張るため、旗面の平坦度を強化することができる。
【実施例３】
【００１２】
図７に本考案の実施例３の側面断面図を示す。この実施例によれば二組の街路灯バナーをより平坦に柱体上に掛けることができ、この図に示すように、第一街路灯バナー８０の横棒８０１を先に街路灯バナー固定座体４０の収容槽４０５内に配置し、ネジ８０１２を第二位置決め孔４０３１に穿設した後、第一街路灯バナー８０のもう一つの横棒８０１'をもう一つの街路灯バナー固定座体４０'内に配置し、横棒８０１'を収容槽４０５'内で懸空状態にさせ、且つ、ネジ８０１２'を第二位置決め孔４０３１'内に穿設し、さらにナット１００でネジ８０１２'を締めると、横棒８０１、８０１'が引っ張られ、第一街路灯バナー８０が下方向に引っ張られるため、旗面の平坦度を強化することができる。さらに、第二街路灯バナー９０の横棒９０１を街路灯バナー固定座体４０の収容槽４０５内に配置し、横棒９０１をもう一組の街路灯バナー固定座体４０内の横棒８０１上に重ね、且つネジ９０１２を第一位置決め孔４０２１内に穿設し、さらに第二街路灯バナー９０の他端の横棒９０１'を収容槽４０５'内に配置し、ネジ９０１２'を第一位置決め孔４０２１'内に穿設し、さらにナット１００で横棒９０１のネジ９０１２を締めると、横棒９０１、９０１'が引っ張られ、第二街路灯バナー９０が上方向に引っ張られるため、旗面の平坦度を強化することができる。
【実施例４】
【００１３】
図８に本考案の実施例４の側面断面図を示す。この図に示すように、弾性開閉片４０４を弾性部材４０４１により屋根部４０２の内側に枢着し、且つ、積載部４０３の内側まで延伸させ、枢着後の弾性開閉片４０４は弾性的位置回復作用を備え、横棒７０１を入口４０６から街路灯バナー固定座体４０内に入れるとき、横棒７０１で弾性開閉片４０４を押すと入口４０６を開くことができ、横棒７０１を入れた後、弾性開閉片４０４は元の位置を回復して入口４０６を塞ぐため、横棒７０１が街路灯バナー固定座体４０から落下するのを防ぐことができる。
【実施例５】
【００１４】
図９に本考案の実施例５の側面断面図を示す。この図に示すように、収容槽４０５内に弾性フック片４０４２を設置することができ、この弾性フック片４０４２は弧状を呈し、その一端が屋根部４０２、主板４０１と相互に固定され、他端が積載部４０３内側まで延伸されて入口４０６を塞ぐ。横棒７０１でこの弾性フック片４０４１を押し動かして入口４０６を開き、横棒７０１を入れた後、弾性フック片４０４２は元の位置を回復して入口４０６を塞ぎ、横棒７０１の落下を防ぐ。
【実施例６】
【００１５】
図１０に本考案の実施例６の側面断面図を示す。この図に示すように、弾性開閉片４０４の上端にフック片４０４３を枢設することができ、このフック片４０４３は収容槽４０５内に位置し、弾性開閉片４０４に重りを持たせる効果があり、強風が吹いたときに街路灯バナーが大きな力で揺れ動き、強風によって横棒７０１が街路灯バナー固定座体４０の外に飛び出してしまうのを防ぐため、フック片４０４３の下圧重量により弾性開閉片４０４をよりしっかりと固定することができる。
【実施例７】
【００１６】
図１１に本考案の実施例７の側面断面図を示す。この図に示すように、弾性開閉片４０４の一端に位置規制蓋４０４４が枢設され、この位置規制蓋４０４４は折り曲げられた後重り部４０４４１が形成され、位置規制蓋４０４４が力を受けていないときは、重り部４０４４１の作用で入口４０６が閉じた状態を呈し、このとき、横棒７０１を本考案に入れる際、横棒７０１で弾性開閉片４０４を押し動かすと、位置規制蓋４０４４も同時に押し動かされ、入口４０６が開き、横棒７０１全体を本考案の内部に入れると、弾性開閉片４０４と位置規制蓋４０４４が元の位置を回復し、且つ入口４０６を塞ぐ。位置規制蓋４０４４は重り部４０４４１の押さえ力を有するため入口４０６をしっかりと塞ぎ、強風が吹いても横棒７０１の脱落を防ぐことができる。また、この位置規制蓋４０４４は横棒７０１の位置を上述の収容槽４０５内に規制することができ、横棒７０１の移動を防ぐ。
【実施例８】
【００１７】
図１２に本考案の実施例８の側面断面図を示す。この図に示すように、街路灯バナー固定座４０内に逆V字形の弾性開閉片２００が取り付けられ、この弾性開閉片２００は折り曲げられて開閉部２００１と固定部２００２が設けられ、主に固定部２００２が街路灯バナー固定座４０内に固定される。その取り付け方式は溶接やリベットで行なうことができ、例えば本実施例の図面においては、複数のリベット２００３を用いて弾性開閉片２００の固定部２００２を街路灯バナー固定座４０内に固定し、固定完了後弾性開閉片２００の開閉部２００１がちょうど街路灯バナー固定座４０の開口箇所下縁部に当接し、街路灯バナー固定座４０の開口箇所をその常態時には閉じた状態とすることができ、これにより横棒７０１を入れた後、効果的に街路灯バナー固定座４０から脱落しないようにすることができる。
【００１８】
上述のように、本考案はその実施後確実に安全性を向上でき、股迅速な設置と取り外しが可能な街路灯バナー固定座体の提供という目的を確実に達成することができる。
【００１９】
以上で述べた説明は、本考案の最良の実施例に基づくものであり、本考案の実施の範囲を制限するものではなく、関連技術を知る者が本考案の要旨の範囲を逸脱することなく行なった変化や修飾はすべて本考案の特許範囲内に含まれるものとみなす。
【００２０】
上述のように、本考案の街路灯バナー固定座体は確実に迅速な設置と取り外しという効果を達することができ、実用性と進歩性を備えており、特許法に基づきここに実用新案登録を出願するものである。      
【図面の簡単な説明】
【００２１】
【図１】従来のバナー固定を示す立体斜視図である。
【図２】本考案の立体外観図である。
【図３】本考案の使用状態の立体斜視図である。
【図４】本考案の使用状態の側面断面図(一)である。
【図５】本考案の別の使用状態の側面断面図(二)である。
【図６】本考案の実施例２の側面断面図である。
【図７】本考案の実施例３の側面断面図である。
【図８】本考案の実施例４の側面断面図である。
【図９】本考案の実施例５の側面断面図である。
【図１０】本考案の実施例６の側面断面図である。
【図１１】本考案の実施例７の側面断面図である。
【図１２】本考案の実施例８の側面断面図である。
【符号の説明】
【００２２】
１０        固定支持具
１０１      座体
１０２      固定具
２０        柱体
３０        バナー
３０１      横棒
４０        街路灯バナー固定座体
４０'      街路灯バナー固定座体
４０１      主板
４０２      屋根部
４０２１    第一位置決め孔
４０２１'  第一位置決め孔
４０３      積載部
４０３'    積載部
４０３１    第二位置決め孔
４０３１'  第二位置決め孔
４０４      弾性開閉片
４０４１    弾性部材
４０４２    弾性フック片
４０４３    フック片
４０４４    位置規制蓋
４０４４１  重り部
４０５      収容槽
４０５'    収容槽
４０６      入口
５０        固定リング
５０'             固定リング
６０        柱体
７０        街路灯バナー
７０１      横棒
７０１'    横棒
７０１１    固定棒
７０１１'  固定棒
７０１２    ネジ
７０１２'  ネジ
８０        第一街路灯バナー
８０１      横棒
８０１'    横棒
８０１１    固定棒
８０１１'  固定棒
８０１２    ネジ
８０１２'  ネジ
９０        第二街路灯バナー
９０１      横棒
９０１'    横棒
９０１１    固定棒
９０１１'  固定棒
９０１２    ネジ
９０１２'  ネジ
１００      ナット
２００      弾性開閉片
２００１    開閉部
２００２    固定部
２００３    リベット
【図１】
0003133197.tif 000003
【図２】
0003133197.tif 000004
【図３】
0003133197.tif 000005
【図４】
0003133197.tif 000006
【図５】
0003133197.tif 000007
【図６】
0003133197.tif 000008
【図７】
0003133197.tif 000009
【図８】
0003133197.tif 000010
【図９】
0003133197.tif 000011
【図１０】
0003133197.tif 000012
【図１１】
0003133197.tif 000013
【図１２】
0003133197.tif 000014